(57)【要約】      （修正有）【課題】スプーンの匙部のエッジなどによるスプーン使用時の違和感や、その違和感から発生するストレスを解消することができる縁カールスプーンを提供する。【解決手段】頭部に皿状の皿部２を有し、前記皿部２と把持部で構成するスプーンであって、前記皿部の内面から外面にかけて皿部縁肉厚の１．５倍以上の寸法を半径とした凸曲線状の皿部周辺に縁を形成し、凸面縁としたこと。これにより、スプーンのエッジから発生する違和感が解消され、食べ易さが向上する。【選択図】図２
0003178009.tif 000002
【実用新案登録請求の範囲】
【請求項１】
頭部に皿状の皿部と把持部を有するスプーンであって、
皿部の縁周辺に内面から周辺向かい皿部縁肉厚の１．５倍以上の寸法を半径とした凸曲線状の表面で形成したこと
を特徴とした縁カールスプーン。
【請求項２】
請求項１に記載の縁カールスプーンにおいて、
前記皿部の縁周辺に周辺に向かう外面に皿部縁肉厚の１．５倍以上の寸法を半径とした凹曲線状の表面で形成したこと
を特徴とした縁カールスプーン。
【請求項３】
請求項１から２のいずれか一項に記載の縁カールスプーンにおいて、
前記皿部の縁部の縁面に縁面から流れる流体の流れを集約する凹み部を形成したこと
を特徴とした縁カールスプーン。
【請求項４】
請求項１から３のいずれか一項に記載の縁カールスプーンにおいて、
前記皿部の縁先端部の周辺に、皿部縁に至る肉厚の１．５倍以上の直径とする略円曲線部を持つ膨らみを形成し凸縁としたこと
を特徴とした縁カールスプーン。
【請求項５】
請求項１から４のいずれか一項に記載の縁カールスプーンにおいて、
プラスチック樹脂、または、セラミックスで形成したこと
を特徴とした縁カールスプーン。
【請求項６】
請求項１から４のいずれか一項に記載の縁カールスプーンにおいて、
結晶性プラスチック樹脂で成形し、少なくとも表面を結晶化処理したこと
を特徴とした縁カールスプーン。
【請求項７】
請求項１から４のいずれか一項に記載の縁カールスプーンにおいて、
シンジオタクチックポリスチレン、または、コポリエステル樹脂で形成したこと
を特徴とした縁カールスプーン。
【請求項８】
請求項１から７のいずれか一項に記載の縁カールスプーンにおいて、
少なくとも前記把持部に強度を増すための連続したリブを形成したこと
を特徴とした縁カールスプーン。
【請求項９】
請求項１から４のいずれか一項に記載の縁カールスプーンにおいて、
シリコーン樹脂、シリコーンゴム、エラストマー樹脂のいずれかで形成したこと
を特徴とした縁カールスプーン。
【請求項１０】
請求項１から４のいずれか一項に記載の縁カールスプーンにおいて、
少なくとも皿部の芯部を芯材とし、該芯材をシリコーン樹脂、シリコーンゴム、エラストマー樹脂で被覆し形成し被覆部としたこと
を特徴とした縁カールスプーン。
【請求項１１】
請求項９から１０のいずれか一項に記載の縁カールスプーンにおいて、
前記シリコーンゴムに、プラチナ触媒で加流したシリコーンゴムで形成したこと
を特徴とした縁カールスプーン
【請求項１２】
請求項９から１１のいずれか一項に記載の縁カールスプーンにおいて、
前記シリコーン樹脂、シリコーンゴム、エラストマー樹脂で形成した表面に
摺動性、滑り性、耐摩耗性の何れかを向上させるコーティングが施されていること
を特徴とした縁カールスプーン
【考案の詳細な説明】
【技術分野】
【０００１】
本考案は、食事に使用するスプーンに関する。
【背景技術】
【０００２】
スプーンは、コンソメ、ポタージュの様な洋風のスープを飲む。中華風のスープを飲む用途などに使用されている。一方、近年日本ではスプーンをご飯料理として、カレーライス、チャーハン、ピラフ、ドリア、オムライスなどから、どんぶり物に使用する事が増えている。一方で、デザート用として、ヨーグルトや、プリンなど、そして茶碗蒸などの料理に使用される事もあり、多彩な料理がスプーンで食べられている。従来から、スプーンの素材は木製、金属製、磁器製、プラスチック製が有るが、木製はひび割れが発生するなど、金属製は、金属味がする、重い、固いなど、磁器製は重い、厚味が有る、壊れやすい、プラスチック製は、折れやすい、傷つきやすい、熱に弱いなどの問題が有る。一方近年では、老人や介護用としてシリコーンゴム製のスプーンがあり、内部に芯材を用いた物もある。
シリコーンゴムは柔らかい、舌触りが良くない、浸透性が有るなどの問題が有る様に各素材はそれぞれに利点と欠点がある。そのような中でプラスチック製は、熱硬化性樹脂を使用したものと、熱可塑性樹脂樹脂を使用したものがある。スプーンや、フォークなどに熱硬化性樹脂にはフェノール樹脂（ＰＦ）メラミン樹脂（ＭＦ）、尿素樹脂（ＵＦ）、不飽和ポリエステル樹脂（ＵＰ）等が使用させているが、硬質な熱硬化性樹脂素材は環境ホルモンの問題が懸念される物がある。一方、柔らかい材料は、傷の問題がある。熱可塑性樹脂には、ポリエチレン（ＰＥ）、ポリプロピレン（ＰＰ）、ポリスチレン（ＰＳ）、ＡＢＳ樹脂、ＡＳ樹脂、アクリル樹脂（ＰＭＭＡ）などがあり、多様な樹脂でレンゲスプーンなどに使用されている。
また、熱可塑性樹脂は、傷が付きやすい、熱に弱いなどの問題からか、簡易的な、使い捨ての用途に多く使われている。
【０００３】
従来から口に食べもの、飲み物をスプーンで取り込む際に、スプーン独自の匙部の違和感があり、その違和感を避けるために、しゃくり上げと呼ばれる、口にしたスプーンの角度を変える（柄の位置を平行から、柄側を上げ高角度に移行する行為）動作が行われる傾向があるように、使いはじめた頃からこの違和感を回避する行為がなされ、年月と共に習慣性となり、いつの間にかストレスとしては感じられなくなっている様に思われる。しかしながら、本考案の縁カールスプーンで食してみると快適な感覚で食せる事に気付く。これらの現象から身体にとっては潜在的なストレスとして存在していると言える。
また、違和感は、匙部の縁のエッジや縁の形状、さらに、唇の形に対する匙部の外形などからも来ていると言える。また、これらは、口腔に流状体を流し込む際にもあり、無意識のうちにこぼさないように気配りしていると考えられる。
【０００４】
特許文献１には、意匠として、匙部に縁を持たせたもの記載が有る。しかしながら、周囲縁に大きめな曲線でカールを施したものではない。また、金属で匙の周辺の丸味や、スリ面を均一に仕上げるには、手間が掛かり高価になっていた。一方、シリコーンゴムで製作するとゴムの違和感、シリコーンゴム独特の表面のタック感（ベタベタした感）や食材の流れの悪さがある。木材や竹、磁器を使用すると、上記で記載した問題が発生する。
【先行技術文献】
【特許文献】
【０００５】
【特許文献１】意匠登録第１４０９９１３号公報
【考案の概要】
【考案が解決しようとする課題】
【０００６】
本考案は、スプーンの匙部のエッジなどによる違和感を取り除き、スプーンを使用した飲食時の違和感や、違和感から発生するストレスを解消し、おいしく食事をしようとするものである。
【課題を解決するための手段】
【０００７】
上記課題を解決するために、本考案の一態様に係るスプーンは、頭部に皿状の皿部と把持部を有する飲食用スプーンにおいて、皿部の縁周辺に内面から周辺に向かい大きな凸曲線状の表面で形成し、皿部の縁周辺に周辺に向かう外面に大きな凹曲線状の表面で形成し、さらには、皿部の縁の凹みを形成するなどや皿部の縁周辺先端部に曲線部を持つ膨らみを形成したことを特徴とした縁カールスプーンである。
【考案の効果】
【０００８】
匙部の縁周辺を、匙の底部方向からの食材の流れをスムーズに流れる曲面構造とすることにより、匙部（皿部）のエッジから発生する違和感、または、違和感を解消するための動作を回避する事で食べ易さや、こぼさない効果が期待される。また、プラスチック材料で形成する事により、安価なスプーンが提供できる。さらに、べたつき感を解消したシリコーンゴムとする事で、違和感を取り除く事が出来る。これらの事により、幼児からお年寄りや障害者にも、こぼさず、食べやすく、自らが進んで食べる様になり健康増進が期待できる。
【図面の簡単な説明】
【０００９】
【図１】（ａ）（ｂ）本考案の実施例１に係る縁カールスプーン１１の（ａ）上面図と（ｂ）、（ｃ）、（ｄ）、（ｅ）断面図と（ｆ）左側面図である。
【図２】本考案の実施例１に係る縁カールスプーン１１の使用時の断面図である。
【図３】本考案の実施例２に係る縁カールスプーン１２の斜視図である。
【図４】本考案の実施例２に係る縁カールスプーン１２の使用時の断面図である。
【図５】本考案の実施例２に係る縁カールスプーン１２の使用時の上面図である。
【図６】本考案の実施例４に係る縁カールスプーン１３の斜視図と一部断面図である。
【図７】本考案の実施例５に係る縁カールスプーン１４の断面図である。
【図８】本考案の実施例６に係る縁カールスプーン１５の断面図である。
【図９】本考案の実施例３に係る縁カールスプーン１６の（ａ）正面図と（ｂ）底面図である。
【考案を実施するための形態】
【００１０】
本考案の実施の形態について、以下、図に基づいて説明する。
【００１１】
＜実施例１＞
図１に本考案の実施例１に係る縁カールスプーン１１を示す。縁カールスプーン１１は皿状の皿部２と把持部３とを有している。（ａ）にＡ−Ａ断面を示すように、皿部２は、皿部の周囲縁部分に、皿部内側から縁に掛けてカールした凸状の曲線、皿部２の皿部縁肉厚ｔ１の半径１．５倍以上（例えば、皿部縁肉厚１．６ｍｍに対し、半径約５ｍｍの半円状）で構成された内側カール２１でなり、皿部外側から周囲縁に掛けて凹状の曲線、皿部２の皿部縁肉厚ｔ１の半径１．５倍以上（例えば、半径３．５ｍｍの半円形状、外側カール２２で成り立ち、さらに先端縁の周りには約半円径の曲線（例えば、半径０．７ｍｍの縁丸２３で構成されている。また、内側カール２１は、皿部内部の底方向から流れる様に、段差などのない滑らかな曲線でつながり縁に達し、縁丸２３を経て、外側カール２２へと滑らかにつながり、皿部２の外側底部へとつながる。このように、皿内部外部共に滑らかな曲線でつながっている。また（ｃ）、（ｄ）、（ｅ）に各断面線位置Ｂ−Ｂ、Ｃ−Ｃ、Ｄ−Ｄが示す様に、皿の横部にも、内側カール２１ａ、外側カール２２ａ、縁丸２３ａで構成され、匙部の先端付近から横に掛けて徐々にカール部が少なくなっている事を示す。これらにより、皿部は、滑らかに口腔に出し入れが可能である。特に口腔内に痛みや傷が有るときには口腔を痛めることがなく有効である。また、さらに、皿部２の縁の高さ（並び）において、（ｆ）で示すように、皿部２の先端付近をやや低めとした凹み部２５を有するものを示し、皿部２の先端付近から飲食物が流れやすい形状としたものを示す。
【００１２】
縁カールスプーン１１は例えば、プラスチック樹脂（例えばＰＥＴ樹脂）材料を成型することで作製することができる。成型方法としては例えば、インジェクション一体成型が挙げられる。また、ファインセラミック（例えばジルコニア）材料を用いてもよい。その際、形状の起伏や
厚みの変化を押さえたことにより、セラミックス独自の脆弱さを回避することが可能である。
【００１３】
図２は、飲食時に縁カールスプーン１１の内側カール２１、外側カール２２と縁丸２３と下唇７ａと飲食物の流れ９ａを示したものである。外側カール２２が下唇に滑らかに載り、匙部２からの飲食物の流れ９ａがスムーズに内側カール２１の上を滑るように流れ口腔に流れる事を示す。さらには、凹み部２５が皿部２の先端付近に流れが集まりやすくなる。このように、唇の上に皿部が載り、その上を飲食物がスムーズに流れることにより、違和感無く、こぼす事が少ない、このため、こぼす意識を減らし、ストレスが減り、食べやすく、おいしく食べられることにつながる。
ここでは、飲食用スプーンを示したが、調理用スプーンに付いても、同じように、皿部の飲食物が滑らかに流れるため、固まり落ちたりしにくく、一定の流れを作ることが出来、安定的にこぼさず配食が出来る。特に、流れを作り出すことにより、下にたれる「下ダレ」が減り、ソース類などをかける際に、熟練度を要さずにきれいに掛ける事が出来る。
【００１４】
＜実施例２＞
図３に本考案の実施例２に係る縁カールスプーン１２を示す。以下、前述の実施例と同様の部分を示す箇所には同様の符号を用い、詳細な説明は省略する。  
縁カールスプーン１２は、皿部に対する内側カール部の付加位置が実施例１とは異なり、匙部の斜め手前に内側カール２１を備えている。例えばステンレス綱で形成したもので、断面線６での断面図６ｂを示す。
【００１５】
図４は、実施例２の縁カールスプーン１２の使用状態を示し、縁カールスプーン１２に対する、皿８上の飲食物を縁カールスプーン１２で掬う際の流動状や、液体状の飲食物の流れ９ｂを表したものである。皿８内の飲食物がスムーズに皿部２に流れる事を示す。飲食時に皿から掬う場合や、料理皿、料理を炒めたフライパンなどから配食する場合にも便利に使える事がわかる。
図５は、実施例２の縁カールスプーン１２の使用状態を示し、人の頭部上から見た状態を示し、唇７ｂに対し縁カールスプーン１２の皿部２の内側カール２１が斜めに入る状態を示す。把持部３も顔の正面から斜めとなり、唇７ｂと手７ｄの位置との関係が無理なくスムーズな動作で食せる事がわかる。
＜実施例３＞
【００１６】
図６は、実施例３の縁カールスプーン１３の斜視図を示す。皿部２は上面から見ると先端付近が斜の略三角形状の皿部を示す。断面線６位置による断面６ａを示し、皿部２の先端付近から横に掛けて内側カール２１、外側カール２２、縁丸２３を設けたものである。このように皿部先端方向をヘラ状とすることで、皿や瓶、フライパンなどの底を平らに掬いやすい。
＜実施例４＞
【００１７】
図７は、実施例４の縁カールスプーン１４の断面図を示す。縁カールスプーン１４は、皿部と把持部の芯に当たる部分を一体成形し芯部４とし、芯部４の全体に被覆し被覆部５としたものを示す。
例えば、プラスチック樹脂（例えばナイロン６６）材料を用いてスプーン芯部４をインジェクション一体成型した後、シリコーンゴムに熱を加えコンプレッション成形することにより被覆部５でスプーン芯部４を被覆することができる。このようにスプーン芯部４をシリコーンゴムの被覆部５で覆うことにより、シリコーンゴムの屈曲性を押さえ、表面の柔らかさを得、把持部３においても握り易く、滑りにくくなる。なお、スプーン芯部４には、ある程度の硬度を有する材料であればどのようなものを用いてもよく、例えば、ナイロン、ポリプロピレン、金属、セラミックス等が挙げられる。被覆部５についてもどのようなものを用いても良いが、例えば、摩擦係数の大きなシリコーン樹脂、シリコーンゴム、エラストマー等が挙げられる。
【００１８】
＜実施例５＞
図８に本考案の実施例５に係る縁カールスプーン１５を示す。実施例４と異なるのは、芯部４ａを把持部３と一体として成形し、皿部２のみに被覆部５を被覆した事と、皿部周辺縁の縁丸を凸縁２４とした事にある。凸縁２４は、皿部２の周囲皿部縁に至る肉厚ｔ２の約１．５倍以上の略円曲線状、凸状の縁を設けたものである。これにより、飲食用としては縁の凸部が唇に載り、この凸部と外側カールの境目を基点としてこの基点付近でスプーンを回転させる様に口に流す。凸縁が唇に当たる位置を明確にする事が出来る。また、掬う動作時に、皿などに当たる点が凸縁に集約され、皿などからかき取る際のかき位置が明確化すると共に、凸縁に力が曲面の点接触（周囲では線接触）で集中しやすいなどが上げられる。また、配食の際には、この基点をフライパンや、皿の縁に掛けて置くなどが出来る。
＜実施例６＞
【００１９】
図９に本考案の実施例６に関わる縁カールスプーン１６の（ａ）正面図、（ｂ）底面図を示す。
実施例５と同じように皿部先端付近には図８の様な凸縁２４ａが設けられると共に（ｂ）底面には、リブ９が設けられているものを示す。例えばＰＥＴ樹脂で成形し、例えばコンビニエンスストアなどでの弁当用の簡易的なスプーンとして利用する。また、把持部の裏側に強度を保つ為のリブを設けたものを示す。リブは皿部に及んでも良い。
【００２０】
なお、上記各実施例において内側カール、外側カール、縁丸、凸縁の大きさは特に限定されず、匙部の大きさなどと適宜調整することにより、利用者の年齢や、用途に合わせた構成を実現することができる。
【００２１】
以上説明したように、上記のような縁カールスプーンによれば、幼児、子供や老人はもとより、一般の人にも幅広くスムーズに飲食、配食する事が出来る。これによれば、違和感、こぼすことや、汁はねが無くなってストレスの無い使用が可能であると共に、幼児や障害者、介護者等でも自ら食事を楽しむ機会が増える。
【００２２】
以上、本考案に係る縁カールスプーンについて説明した。なお上記に限らず、多くの代替物、修正および変形例が当業者にとって明らかである。
【００２３】
例えば、匙部２の形状を上面図で円形や楕円状としたりするなど、必ずしも上記に限らず、いろいろな形状を取ることが出来る。また、皿部の大きさ深さを変える事により、配食容量を増減する事も出来る。
【００２４】
また例えば、シリコーンゴム等の独特のタック感（ベタベタした感）のある素材で形成する場合には、表面に摺動性、滑り性、耐摩耗性を向上させる塗装（コーティング）を施しても良い。これによりタック感を抑制し、肌触りよいサラサラとした風合いを実現できる。これにより、高級感を演出することもできる。また、プラチナ触媒で加流したシリコーンゴムを使用することによりシリコーンゴム独特の臭いや、臭いや色を付きにくくする事が出来る。
【００２５】
また、上記の縁カールスプーンは、結晶性プラスチック樹脂で形成してもよい。結晶性プラスチック樹脂としては例えば、シンジオタクチックポリスチレンが挙げられる。一般的なポリスチレンはアタクチック構造を持つが、シンジオタクチックポリスチレンはシンジオタクチック構造を持つ。これにより結晶性を有し、通常のスチレン系樹脂と比較して耐熱性を向上させることができる。また、コポリエステル樹脂で形成することにより耐久性や透明度を上げることも可能である。
【００２６】
また、各実施例の構成は、必ずしもその実施例のみでなく、他の実施例に対して適用することが可能である。
【符号の説明】
【００２７】
１１〜１６：縁カールスプーン、２：皿部、２１・２１ａ：内側カール、２２・２２ａ：外側カール、２３・２３ａ：縁丸、２４・２４ａ：凸縁、４：芯部、５：被覆部、６：断面線、６ａ・６ｂ：断面、７・７ａ・７ｂ：唇、７ｄ：手、８：皿、９ａ・９ｂ：飲食物の流れｔ１：皿部縁肉厚、ｔ２：皿部縁に至る肉厚
【図１】
0003178009.tif 000003
【図２】
0003178009.tif 000004
【図３】
0003178009.tif 000005
【図４】
0003178009.tif 000006
【図５】
0003178009.tif 000007
【図６】
0003178009.tif 000008
【図７】
0003178009.tif 000009
【図８】
0003178009.tif 000010
【図９】
0003178009.tif 000011
【手続補正書】
【提出日】平成24年6月22日(2012.6.22)
【手続補正１】
【補正対象書類名】実用新案登録請求の範囲
【補正対象項目名】全文
【補正方法】変更
【補正の内容】
【実用新案登録請求の範囲】
【請求項１】
頭部に皿状の皿部を有し、前記皿部と把持部で構成するスプーンであって、
前記皿部の内面から外面にかけて皿部縁肉厚の１．５倍以上の寸法を半径とした凸曲線状の皿部周辺に縁を形成し、凸面縁としたこと
を特徴とした縁カールスプーン。
【請求項２】
請求項１に記載の縁カールスプーンにおいて、
前記凸面縁の裏側を皿部縁肉厚の１．５倍以上の寸法を半径とした凹曲線状で形成し凹面縁としたこと
を特徴とした縁カールスプーン。
【請求項３】
請求項１から２のいずれか一項に記載の縁カールスプーンにおいて、
前記皿部の縁部の縁面に縁面から流れる流体の流れを集約する凹み部を形成したこと
を特徴とした縁カールスプーン。
【請求項４】
請求項１から３のいずれか一項に記載の縁カールスプーンにおいて、
前記皿部の縁先端部の周辺に、皿部縁に至る肉厚の１．５倍以上の直径とする略円曲線部を持つ膨らみを形成し凸縁としたこと
を特徴とした縁カールスプーン。
【請求項５】
請求項１から４のいずれか一項に記載の縁カールスプーンにおいて、
プラスチック樹脂、または、セラミックスで形成したこと
を特徴とした縁カールスプーン。
【請求項６】
請求項１から４のいずれか一項に記載の縁カールスプーンにおいて、
結晶性プラスチック樹脂で成形し、少なくとも表面を結晶化処理したこと
を特徴とした縁カールスプーン。
【請求項７】
請求項１から４のいずれか一項に記載の縁カールスプーンにおいて、
シンジオタクチックポリスチレン、または、コポリエステル樹脂で形成したこと
を特徴とした縁カールスプーン。
【請求項８】
請求項１から７のいずれか一項に記載の縁カールスプーンにおいて、
少なくとも前記把持部に強度を増すための連続したリブを形成したこと
を特徴とした縁カールスプーン。
【請求項９】
請求項１から４のいずれか一項に記載の縁カールスプーンにおいて、
シリコーン樹脂、シリコーンゴム、エラストマー樹脂のいずれかで形成したこと
を特徴とした縁カールスプーン。
【請求項１０】
請求項１から４のいずれか一項に記載の縁カールスプーンにおいて、
少なくとも皿部の芯部を芯材とし、該芯材をシリコーン樹脂、シリコーンゴム、エラストマー樹脂で被覆し形成し被覆部としたこと
を特徴とした縁カールスプーン。
【請求項１１】
請求項９から１０のいずれか一項に記載の縁カールスプーンにおいて、
前記シリコーンゴムに、プラチナ触媒で加流したシリコーンゴムで形成したこと
を特徴とした縁カールスプーン。
【請求項１２】
請求項９から１１のいずれか一項に記載の縁カールスプーンにおいて、
前記シリコーン樹脂、シリコーンゴム、エラストマー樹脂で形成した表面に
摺動性、滑り性、耐摩耗性の何れかを向上させるコーティングが施されていること
を特徴とした縁カールスプーン。